【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
画像に含まれるブロックのブロックサイズを決定する決定手段と、
量子化パラメータに係る最小ブロックサイズより小さい複数のブロックを有するブロックグループの符号化処理において共有される量子化パラメータに係る差分値を符号化する符号化手段と
を有し、
前記符号化手段は、
前記複数のブロックの内の１番目のブロックがゼロではない係数を有していない場合、当該１番目のブロックの処理において、前記共有される量子化パラメータに係る差分値を符号化せず、
前記共有される量子化パラメータに係る差分値が前記１番目のブロックの処理において符号化されなかった場合であって、前記複数のブロックの内の前記１番目のブロックより後のブロックがゼロではない係数を有する場合、当該ゼロではない係数を有するブロックの処理において、前記共有される量子化パラメータに係る差分値を符号化する
ことを特徴とする画像符号化装置。
【請求項２】
前記符号化手段は、前記最小ブロックサイズ以上のブロックにおける符号化処理で用いられる量子化パラメータに係る差分値を、当該最小ブロックサイズ以上のブロックの処理において符号化する
ことを特徴とする請求項１記載の画像符号化装置。
【請求項３】
前記符号化手段は、前記最小ブロックサイズ以上のブロックが分割されていない場合に、当該最小ブロックサイズ以上のブロックにおける符号化処理で用いられる量子化パラメータに係る差分値を、当該最小ブロックサイズ以上のブロックの処理において符号化する
ことを特徴とする請求項２記載の画像符号化装置。
【請求項４】
前記符号化手段は、前記共有される量子化パラメータに係る差分値を、前記複数のブロックの内の１つのブロックの処理において符号化する
ことを特徴とする請求項１〜３のいずれか１項に記載の画像符号化装置。
【請求項５】
前記符号化手段は、前記複数のブロックの内のゼロではない係数を有するブロックの処理において、前記共有される量子化パラメータに係る差分値を符号化し、
当該ゼロではない係数を有するブロックの処理において前記共有される量子化パラメータに係る差分値が符号化された場合、前記複数のブロックの内の他のブロックの処理においては、前記共有される量子化パラメータに係る差分値を符号化せずに、前記共有される量子化パラメータを用いて、当該他のブロックを符号化する
ことを特徴とする請求項１〜４のいずれか１項に記載の画像符号化装置。
【請求項６】
前記最小ブロックサイズを特定可能な情報として、ブロックサイズを特定可能なインデックスを符号化する情報符号化手段
を有することを特徴とする請求項１〜５のいずれか１項に記載の画像符号化装置。
【請求項７】
ブロックのブロックサイズを特定可能な情報を符号化する情報符号化手段
を有することを特徴とする請求項１〜６のいずれか１項に記載の画像符号化装置。
【請求項８】
前記符号化手段は、ブロックサイズが前記最小ブロックサイズより小さい、かつ、処理対象のブロックが含まれるブロックグループ内の複数のブロックの画像データそれぞれにおける符号化処理で用いられる量子化パラメータが符号化済みの場合、当該処理対象のブロックの処理においては、量子化パラメータの符号化を行わない
ことを特徴とする請求項１〜７のいずれか１項に記載の画像符号化装置。
【請求項９】
前記最小ブロックサイズは、前記画像データの量子化を制御するためのブロックサイズである
ことを特徴とする請求項１〜８のいずれか１項に記載の画像符号化装置。
【請求項１０】
前記最小ブロックサイズは、前記画像データの量子化を制御する最小のブロックサイズである
ことを特徴とする請求項１〜９のいずれか１項に記載の画像符号化装置。
【請求項１１】
前記符号化手段は、前記共有される量子化パラメータを用いて前記ブロックグループにおける符号化処理を実行する
ことを特徴とする請求項１〜１０のいずれか１項に記載の画像符号化装置。
【請求項１２】
前記差分値は、対象の量子化パラメータと、当該対象の量子化パラメータの前の量子化パラメータとの差分値である
ことを特徴とする請求項１〜１１のいずれか１項に記載の画像符号化装置。
【請求項１３】
画像データを符号化して生成された符号化データを復号する画像復号装置であって、
量子化パラメータに係る最小ブロックサイズを特定可能な情報と、画像に含まれるブロックのブロックサイズを特定可能な情報とを取得する取得手段と、
前記最小ブロックサイズより小さい複数のブロックを有するブロックグループの復号処理において共有される量子化パラメータに係る差分値を復号する復号手段と
量子化パラメータに係る差分値から量子化パラメータを導出する導出手段と
を有し、
前記復号手段は、
前記複数のブロックの内の１番目のブロックがゼロではない係数を有していない場合、当該１番目のブロックの処理において、前記共有される量子化パラメータに係る差分値を復号せず、
前記共有される量子化パラメータに係る差分値が前記１番目のブロックの処理において復号されなかった場合であって、前記複数のブロックの内の前記１番目のブロックより後のブロックがゼロではない係数を有する場合、当該ゼロではない係数を有するブロックの処理において、前記共有される量子化パラメータに係る差分値を復号する
ことを特徴とする画像復号装置。
【請求項１４】
前記復号手段は、前記最小ブロックサイズ以上のブロックにおける復号処理で用いられる量子化パラメータに係る差分値を、当該最小ブロックサイズ以上のブロックの処理において復号する
ことを特徴とする請求項１３記載の画像復号装置。
【請求項１５】
前記復号手段は、前記最小ブロックサイズ以上のブロックが分割されていない場合に、当該最小ブロックサイズ以上のブロックにおける復号処理で用いられる量子化パラメータに係る差分値を、当該最小ブロックサイズ以上のブロックの処理において復号する
ことを特徴とする請求項１４記載の画像復号装置。
【請求項１６】
前記復号手段は、前記共有される量子化パラメータに係る差分値を、前記複数のブロックの内の１つのブロックの処理において復号する
ことを特徴とする請求項１３〜１５のいずれか１項に記載の画像復号装置。
【請求項１７】
前記復号手段は、前記複数のブロックの内のゼロではない係数を有するブロックの処理において、前記共有される量子化パラメータに係る差分値を復号し、
当該ゼロではない係数を有するブロックの処理において前記共有される量子化パラメータに係る差分値が復号された場合、前記複数のブロックの内の他のブロックの処理においては、前記共有される量子化パラメータに係る差分値を復号せずに、前記共有される量子化パラメータを用いて、当該他のブロックを復号する
ことを特徴とする請求項１３〜１６のいずれか１項に記載の画像復号装置。
【請求項１８】
前記最小ブロックサイズを示す情報は、ブロックサイズを特定可能なインデックスである
ことを特徴とする請求項１３〜１７のいずれか１項に記載の画像復号装置。
【請求項１９】
前記取得手段は、前記ブロックを分割するかを示す情報に基づいて、そのブロックのブロックサイズを特定可能な情報を取得する
ことを特徴とする請求項１３〜１８のいずれか１項に記載の画像復号装置。
【請求項２０】
前記復号手段は、ブロックサイズが前記最小ブロックサイズより小さい、かつ、処理対象のブロックが含まれるブロックグループ内の複数のブロックの符号化データそれぞれにおける復号処理で用いられる量子化パラメータが復号済みの場合、当該処理対象のブロックの処理においては、量子化パラメータの復号を行わない
ことを特徴とする請求項１３〜１９のいずれか１項に記載の画像復号装置。
【請求項２１】
前記最小ブロックサイズは、前記符号化データの逆量子化を制御するためのブロックサイズである
ことを特徴とする請求項１３〜２０のいずれか１項に記載の画像復号装置。
【請求項２２】
前記最小ブロックサイズは、前記符号化データの逆量子化を制御する最小のブロックサイズである
ことを特徴とする請求項１３〜２１のいずれか１項に記載の画像復号装置。
【請求項２３】
前記復号手段は、前記共有される量子化パラメータを用いて前記ブロックグループにおける復号処理を実行する
ことを特徴とする請求項１３〜２２のいずれか１項に記載の画像復号装置。
【請求項２４】
前記量子化パラメータに係る差分値は、対象の量子化パラメータと、当該対象の量子化パラメータの前の量子化パラメータとの差分値であり、
前記導出手段は、導出する対象の量子化パラメータを、当該対象の量子化パラメータの前の量子化パラメータと、当該対象の量子化パラメータに係る差分値とを加算することで導出する
ことを特徴とする請求項１３〜２３のいずれか１項に記載の画像復号装置。
【請求項２５】
画像に含まれるブロックのブロックサイズを決定する決定工程と、
量子化パラメータに係る最小ブロックサイズより小さい複数のブロックを有するブロックグループの符号化処理において共有される量子化パラメータに係る差分値を符号化する符号化工程と
を有し、
前記符号化工程において、
前記複数のブロックの内の１番目のブロックがゼロではない係数を有していない場合、当該１番目のブロックの処理において、前記共有される量子化パラメータに係る差分値を符号化せず、
前記共有される量子化パラメータに係る差分値が前記１番目のブロックの処理において符号化されなかった場合であって、前記複数のブロックの内の前記１番目のブロックより後のブロックがゼロではない係数を有する場合、当該ゼロではない係数を有するブロックの処理において、前記共有される量子化パラメータに係る差分値を符号化する
ことを特徴とする画像符号化方法。
【請求項２６】
画像データを符号化して生成された符号化データを復号する画像復号方法であって、
量子化パラメータに係る最小ブロックサイズを示す情報と、画像に含まれるブロックのブロックサイズを特定可能な情報とを取得する取得工程と、
前記最小ブロックサイズより小さい複数のブロックを有するブロックグループの復号処理において共有される量子化パラメータに係る差分値を復号する復号工程と
量子化パラメータに係る差分値から量子化パラメータを導出する導出工程と
を有し、
前記復号工程において、
前記複数のブロックの内の１番目のブロックがゼロではない係数を有していない場合、当該１番目のブロックの処理において、前記共有される量子化パラメータに係る差分値を復号せず、
前記共有される量子化パラメータに係る差分値が前記１番目のブロックの処理において復号されなかった場合であって、前記複数のブロックの内の前記１番目のブロックより後のブロックがゼロではない係数を有する場合、当該ゼロではない係数を有するブロックの処理において、前記共有される量子化パラメータに係る差分値を復号する
ことを特徴とする画像復号方法。
【請求項２７】
請求項１〜１２のいずれか１項に記載の画像符号化装置の各手段としてコンピュータを機能させることを特徴とするプログラム。
【請求項２８】
請求項１３〜２４のいずれか１項に記載の画像復号装置の各手段としてコンピュータを機能させることを特徴とするプログラム。
【手続補正２】
【補正対象書類名】明細書
【補正対象項目名】００１１
【補正方法】変更
【補正の内容】
【００１１】
上述の問題点を解決するため、本発明の画像符号化装置は以下の構成を有する。すなわち、画像に含まれるブロックのブロックサイズを決定する決定手段と、量子化パラメータに係る最小ブロックサイズより小さい複数のブロックを有するブロックグループの符号化処理において共有される量子化パラメータに係る差分値を符号化する符号化手段とを有し、前記符号化手段は、前記複数のブロックの内の１番目のブロックがゼロではない係数を有していない場合、当該１番目のブロックの処理において、前記共有される量子化パラメータに係る差分値を符号化せず、前記共有される量子化パラメータに係る差分値が前記１番目のブロックの処理において符号化されなかった場合であって、前記複数のブロックの内の前記１番目のブロックより後のブロックがゼロではない係数を有する場合、当該ゼロではない係数を有するブロックの処理において、前記共有される量子化パラメータに係る差分値を符号化する。
【手続補正３】
【補正対象書類名】明細書
【補正対象項目名】００１２
【補正方法】変更
【補正の内容】
【００１２】
また、上述の問題点を解決するため、本発明の画像復号装置は以下の構成を有する。すなわち、画像データを符号化して生成された符号化データを復号する画像復号装置であって、量子化パラメータに係る最小ブロックサイズを特定可能な情報と、画像に含まれるブロックのブロックサイズを特定可能な情報とを取得する取得手段と、前記最小ブロックサイズより小さい複数のブロックを有するブロックグループの復号処理において共有される量子化パラメータに係る差分値を復号する復号手段と量子化パラメータに係る差分値から量子化パラメータを導出する導出手段とを有し、前記復号手段は、前記複数のブロックの内の１番目のブロックがゼロではない係数を有していない場合、当該１番目のブロックの処理において、前記共有される量子化パラメータに係る差分値を復号せず、前記共有される量子化パラメータに係る差分値が前記１番目のブロックの処理において復号されなかった場合であって、前記複数のブロックの内の前記１番目のブロックより後のブロックがゼロではない係数を有する場合、当該ゼロではない係数を有するブロックの処理において、前記共有される量子化パラメータに係る差分値を復号する。